(57)【要約】【課題】テレビ端子とテレビ用機器との間を最適寸法に接続。【解決手段】接続手段は，一方側のＦ型コネクタ部と他方側のコネクタ部と少なくとも前記Ｆ型コネクタ部を周方向に回転可能にする操作部とからなり，少なくともＦ型コネクタ部をケースの後面外側に位置させて，操作部により周方向に回転自在にケース後面に回転支持する。同軸ケーブルは，一方側にＦ型プラグを有し少なくともＦ型プラグ部分をケース後面以外の面の外側に位置させ，ケース内に配設され，該ケース内に枢着されて，前記同軸ケーブルを周囲に巻回し且つ巻戻し方向に付勢する付勢手段を内蔵した軸体によって繰出し・巻戻し自在とする。同軸ケーブルの他方側にはコネクタ部が軸体の軸線上となる位置に固着してある。接続手段のコネクタ部と軸体に備えたコネクタ部とは，ケース内において，軸体の回転動作においても電気的に接続可能な接続手段によって接続する。【選択図】  図１
2006074871.tif 000002
【特許請求の範囲】
【請求項１】
テレビ端子とテレビ用機器との間に介在させて相互に接続するためのテレビ接続ケーブルにおいて，
前記テレビ接続ケーブルは，
内部に収納空間を有するケースと該ケースの内部と外部との接続を行なう接続手段と同軸ケーブルと，からなり，
前記接続手段は，コネクタ本体の一方側の先端部に枢着され，内側に接続対象のＦ型フィーメールコネクタの外周螺子に螺合するネジが形成された回転部材と前記ネジの中心位置になるように前記コネクタ本体に備えた内部絶縁体に保持された中心導体とを設けてなるＦ型メールコネクタ部と，前記コネクタ本体の他方側に形成されたコネクタ部と，少なくとも前記回転部材を周方向に回転操作可能に形成した操作部とからなり，少なくとも前記Ｆ型メールコネクタ部を前記ケースの後面外側に位置させて，前記操作部に対するケースの外側方向からの回転操作によって，前記回転部材を周方向に回転自在となるように前記ケースの後面に固着されており，
前記同軸ケーブルは，該同軸ケーブルの一方側にはＦ型メールプラグが備えられ，少なくとも当該Ｆ型メールプラグを前記ケースの後面以外の面の外側に位置させると共に，前記ケース内に配設され該ケース内に形成した枢着部に枢着された軸体の周囲に前記同軸ケーブルを巻回すことによって，該同軸ケーブルを繰出し・巻戻し自在に構成されており，前記同軸ケーブルの他方側にはコネクタ部が備えられ，該コネクタ部は前記軸体であって該軸体の軸線上となる位置に固着させてあり，
前記接続手段のコネクタ部と，前記軸体に固着したコネクタ部とは，前記ケース内において，前記軸体の回転動作においても電気的に接続可能な接続手段が備えさせてある，ことを特徴としたテレビ接続ケーブル。
【請求項２】
前記軸体には前記同軸ケーブルを巻戻し方向に付勢する付勢手段が内蔵されたことを特徴とした請求項１に記載のテレビ接続ケーブル。
【発明の詳細な説明】
【技術分野】
【０００１】
本発明は，主にテレビ共同受信システムに利用される同軸ケーブルに関し，詳しくはテレビ端子とテレビ用機器との間に介在させて，その間の間隔に合わせて同軸ケーブルの長さを可変自在とすることができるテレビ接続用ケーブルに関する。
【背景技術】
【０００２】
従来のテレビ共同受信システムでは，テレビアンテナやＣＡＴＶ伝送路から宅内に引き込まれた信号は，同軸ケーブルや分配器等を介して所要数に分配され，当該分配された信号は更に同軸ケーブル等を介してテレビ端子まで伝送される。テレビ端子には宅内用の同軸ケーブルを接続することによって，この同軸ケーブルの先には，例えばテレビ受像機が接続されたり，更に分配器等を介してテレビ受像機やビデオに接続されたりするような構成となっていた。
（例えば，特許文献１の図  に示す分配器，及び，特許文献２の図  に示すシステム参照。）
このような受信システムにおいて使用されるテレビ端子からテレビ受像機用までの宅内用の同軸ケーブルは，このシステムを施工した業者がテレビ等の配置に基づいて，所定長さに加工して配設する場合や，ユーザー自らが材料をそろえて加工する場合もあるが，一般的にはテレビ受像機等の配置に合わせて，家人がＤＩＹショップや家電量販店等において，接続コネクタの加工済みのケーブルを購入してくる場合が多い。
（例えば，特許文献３参照）
【０００３】
【特許文献１】特許  第２８１９０３２号公報
【特許文献２】特開平９−２７５５１３号公報
【特許文献３】特開昭６３−３１０５８２号公報
【発明の開示】
【発明が解決しようとする課題】
【０００４】
しかし，従来のようにテレビ端子からテレビ受像機へ接続する同軸ケーブルや，分配器とビデオ等を接続する同軸ケーブルを，それらの設置場所に応じて同軸ケーブルを切断して，その両端にＦ型プラグを取り付けるような場合は，その加工の手間がかかるばかりでなく，加工することに慣れていない一般ユーザーにとっては，非常に難しいものとなるばかりでなく，この場合の信頼性においても補償されるものではない。更に近年においてディジタル放送の受信をすることが多くなり，同軸ケーブルの選択やプラグの組み付けにおいてミスがあれば，そこから妨害信号が入り込むことによって，受信画像に影響を与える場合が発生して，美しい画像が見られないといった問題があった。
【０００５】
また，同軸ケーブルが所定の長さに切られており，当該同軸ケーブルの両端にはプラグが加工済みの製品が家電店等において売られているのであるが，これを使用する場合は，宅内に配線するのに最適な寸法の同軸ケーブルが無い場合は，長めの物を購入することによって，テレビ等の背面に長いまま設置したり，余分な長さ分だけを適当に束ねるなどしたりして設置していた。
この場合は，テレビ等の背面は他のケーブル類と合わせて整理し難いものとなるといった問題があった。更に近年において急速に普及している液晶テレビのように，生活のスタイルに合わせて液晶テレビの設置場所を移動させて見るなどの新しい使い方がなされるようになってきたが，当該テレビの配置場所に合わせて同軸ケーブルをすっきりと配線するためには，テレビの設置位置が制限されるといった問題があった。
また，同軸ケーブが長くなればなるほどそれを入れるための梱包材を大きくしたり，梱包材が変形しないように強化したりする必要が生じることで製品コストが高くなるといった問題もあった。
【０００６】
そこで本願においては，こうした問題点を解決するためになされたものであり，
その目的は，配設する寸法に最適な長さに調整可能で，テレビ端子とテレビ受像機間の背面であっても，すっきりと配線可能なテレビ接続ケーブルを提供することにある。
他の目的は，小型で持ち運びが容易なテレビ接続ケーブルを提供することにある。
他の目的は，ディジタル放送受信に対して良好な特性を有すると共に，広帯域な伝送特性を有するテレビ接続ケーブルを提供することにある。
他の目的及び利点は，図面及びそれに関した以下の説明により容易に明らかになるであろう。
【課題を解決するための手段】
【０００７】
上記課題を解決するために，請求項１の発明は，テレビ端子とテレビ用機器との間に介在させて相互に接続するためのテレビ接続ケーブルにおいて，
前記テレビ接続ケーブルは，内部に収納空間を有するケースと該ケースの内部と外部との接続を行なう接続手段と同軸ケーブルと，からなり，前記接続手段は，コネクタ本体の一方側の先端部に枢着され，内側に接続対象のＦ型フィーメールコネクタの外周螺子に螺合するネジが形成された回転部材と前記ネジの中心位置になるように前記コネクタ本体に備えた内部絶縁体に保持された中心導体とを設けてなるＦ型メールコネクタ部と，前記コネクタ本体の他方側に形成されたコネクタ部と，少なくとも前記回転部材を周方向に回転操作可能に形成した操作部とからなり，少なくとも前記Ｆ型メールコネクタ部を前記ケースの後面外側に位置させて，前記操作部に対するケースの外側方向からの回転操作によって，前記回転部材を周方向に回転自在となるように前記ケースの後面に固着されており，
前記同軸ケーブルは，該同軸ケーブルの一方側にはＦ型メールプラグが備えられ，少なくとも当該Ｆ型メールプラグを前記ケースの後面以外の面の外側に位置させると共に，前記ケース内に配設され該ケース内に形成した枢着部に枢着された軸体の周囲に前記同軸ケーブルを巻回すことによって，該同軸ケーブルを繰出し・巻戻し自在に構成されており，前記同軸ケーブルの他方側にはコネクタ部が備えられ，該コネクタ部は前記軸体であって該軸体の軸線上となる位置に固着させてあり，前記接続手段のコネクタ部と，前記軸体に固着したコネクタ部とは，前記ケース内において，前記軸体の回転動作においても電気的に接続可能な接続手段が備えさせるように構成される。
【０００８】
請求項２の発明は，請求項１に記載のテレビ接続ケーブルにおいて前記軸体には前記同軸ケーブルを巻戻し方向に付勢する付勢手段が内蔵されるように構成される。
【発明の効果】
【０００９】
請求項１の発明によれば，テレビ端子とテレビ用機器との間に介在させて相互に接続するためのテレビ接続ケーブルにおいて，
前記テレビ接続ケーブルは，内部に収納空間を有するケースと該ケースの内部と外部との接続を行なう接続手段と同軸ケーブルと，からなり，前記接続手段は，コネクタ本体の一方側の先端部に枢着され，内側に接続対象のＦ型フィーメールコネクタの外周螺子に螺合するネジが形成された回転部材と前記ネジの中心位置になるように前記コネクタ本体に備えられた内部絶縁体に保持された中心導体とを設けてなるＦ型メールコネクタ部と，前記コネクタ本体の他方側に形成されたコネクタ部と，少なくとも前記回転部材を周方向に回転操作可能に形成した操作部とからなり，少なくとも前記Ｆ型メールコネクタ部を前記ケースの後面外側に位置させて，前記操作部に対するケースの外側方向からの回転操作によって，前記回転部材を周方向に回転自在となるように前記ケースの後面に固着されており，
前記同軸ケーブルは，該同軸ケーブルの一方側にはＦ型メールプラグが備えられ，少なくとも当該Ｆ型メールプラグを前記ケースの後面以外の面の外側に位置させると共に，前記ケース内に配設され該ケース内に形成した枢着部に枢着された軸体の周囲に前記同軸ケーブルを巻回すことによって，該同軸ケーブルを繰出し・巻戻し自在に構成されており，前記同軸ケーブルの他方側にはコネクタ部が備えられ，該コネクタ部は前記軸体であって該軸体の軸線上となる位置に固着させてあり，
前記接続手段のコネクタ部と，前記軸体に固着したコネクタ部とは，前記ケース内において，前記軸体の回転動作においても電気的に接続可能な接続手段が備えさせるように構成したので，
ケース内に同軸ケーブルが収納されて，該同軸ケーブルを繰出し，巻戻し自在にすることによって，テレビ等の配置に対応して同軸ケーブルを別途用意する必要が無く，テレビ端子とテレビ受像機やＶＴＲ等との間の距離に合わせて最適な長さに簡単に配線できるといった取扱性の容易さや，余長部分がなくなるのですっきりと配線できるといった美観を損なうことのないテレビ接続ケーブルが提供できる。
また，薄型の液晶テレビやパソコンのように移動させて使用するような機器に使用する場合は，パソコン等を取り外した状態では，簡単な操作で同軸ケーブルをケース内に巻戻すことができ掃除くケーブルの収納に手間が省けるばかりで無く，同軸ケーブルがテレビ端子に接続されたままの状態におかれることがなく美観を損ねることがない。また同軸ケーブルを巻戻した状態において外形寸法を小さくすることができるので，出荷時や保管時における省スペース化や，梱包材の小型化による製品コストの低減ができる，といった優れたテレビ接続ケーブルが提供できるのである。
【００１０】
請求項２の発明によれば，請求項１に記載のテレビ接続ケーブルにおいて前記軸体には前記同軸ケーブルを巻戻し方向に付勢する付勢手段が内蔵されるように構成したので，
取扱いの容易なテレビ接続ケーブルを提供できる。
【発明を実施するための最良の形態】
【００１１】
以下に，本発明を具体化した実施形態の例を，図面を基に詳細に説明する。
図１は本発明に係るテレビ接続ケーブルの実施形態を示す斜視図である。図２（ａ）は図１におけるＡ−Ａ線一部断面図であり，（ｂ）は図１におけるＢ−Ｂ線一部断面図である。図３は本発明に係るテレビ接続ケーブルの分解した状態を示す断面図である。図４は付勢手段の構成を示す要部拡大の斜視図である。図５は軸体の回転ストッパーの構成を示す要部拡大図である。図６は他の実施例である。
尚，以下の説明で方向を記載する場合は，特に明示しない限り図面に記載された実施例の図の方向に基づく。
【実施例１】
【００１２】
図１は本発明に係るテレビ接続ケーブル１の実施例としての斜視図と使用状態を示す図である。尚，この説明では使用状態における方向を基準としており，テレビ接続ケーブル１がテレビ端子に接続された状態で，壁面方向を見たときの方向で示す。（例えばテレビ接続ケーブルの壁面と対向する面は後面である。）
２は一端を開放したケース本体であり，本願の実施例では合成樹脂材料を用いて成型したものである。このケース本体２の開口部にはケース蓋体４が取付けられることによって，ケース本体２の内部に物品等が収納できる空間が形成される構成となっている。 尚ケース蓋体４も合成樹脂材料を用いて成型してある。
５はケース本体２の後面に回転支持された接続手段であり，該接続手段５には後面の外形より外側方向に一部が突出する大きな操作ツマミ５３が備えてあり，当該操作ツマミ５３を回転操作することによって，前記接続手段５を接続対象であるテレビ端子４０のアウトレット端子４１に接続できるようになっている。
【００１３】
１０はＦ型メールプラグであり，所定長さの同軸ケーブル１１の一方端側に接続されたものである。このＦ型メールプラグ１０はケース本体２の前面側に形成された収納部３に収納されるように形成されており，前記同軸ケーブル１１の自由端側は，前記収納３の内部に形成され前記ケース本体２内部の収納空間とを連設する貫通孔（図１には示されていない。図２以降に表示されている。）３ａから前記収納空間に引き込まれている。
この同軸ケーブル１１は，絶縁体にしなやかで可曲性の良い合成樹脂材を用いて構成された細径の同軸ケーブルであり，図示されていないケース本体２の前記収納空間に回転自在となるように枢着された収納手段３０に対して巻き回されて繰出し・巻戻し自在に構成されている。
前記Ｆ型プラグ１０と前記接続手段５とは，ケース本体２の収納空間において前記同軸ケーブル１１等を介して接続されている。
【００１４】
次に本発明のテレビ接続ケーブル１の詳細な構造を，図２〜３を基に詳細に説明する。図２（ａ），（ｂ）は図１に示すＡ−Ａ線及びＢ−Ｂ線における一部断面図である。この図では収納空間６に収納された前記収納手段３０と，前記接続手段５の詳細が示されており，図３はこの組立の状態を示す分解図である。
収納手段は，軸体３０と該軸体３０の一方側に形成された収納側壁３１と，他方側に形成された側壁３２とが備えられ，これらの側壁の間にコ字状の収容空間を形成し，該収容空間に同軸ケーブル１１が巻き回しできるように，前記ケース本体の収納空間６内に，ケースに対して回転自在となるように枢着手段を用いて枢着されている。
【００１５】
次に同軸ケーブル１１を軸体３０に巻き回す方法について説明する。先ず同軸ケーブルの自由端部１１ａを，前記ケース本体２の前面に形成した収納部３の底部に形成した貫通孔３ａからケース本体２の収納空間４に引き入れる。その後前記同軸ケーブル１１の自由端１１ａを，軸体３０に固着された前記接続コネクタ１６の中心導体及び外部導体と接続する。
接続コネクタ１６は軸体３０の他方側端部であって，軸体３０の軸線上となる位置に固着されたフィーメール型の接続コネクタであり，請求項に記載するコネクタ部である。この接続コネクタ１６が取付けられた軸体３０端部の内側には，空間３０ｂが形成されている。該空間３０ｂには前記接続コネクタ１６の中心導体が突出させてあり，軸体３０に巻き回された前記同軸ケーブル１１の自由端１１ａが前記接続コネクタ１６の中心導体と外部導体に接続されている。
前記軸体３０は，同軸ケーブル１１の自由端１１ａが接続コネクタ１６の中心導体と外部導体に対して接続しやすいように，例えば軸体３０を軸体本体と図示されていない軸体蓋体との２分割に形成しても良い。この場合は軸体蓋体側からネジ棒を軸体本体に形成したネジ孔３０ｃ，３０ｃに螺着させることによって，前記同軸ケーブル１１の自由端１１ａ部を軸体３０に固着すると共に，軸体３０に生じる角部が無くなることによって，前記同軸ケーブル１１が軸体３０の周面に滑らかに円周を描いて巻き回せる。
【００１６】
このように同軸ケーブル１１の自由端１１ａの取付けがすんだのならば，該同軸ケーブル１１を軸体３０の収容空間に巻き回して収納する。この同軸ケーブル１１の他方側には前述のようにＦ型プラグ１０が取付けられており，このＦ型プラグ１０は前記ケース本体２に形成した収納部３に嵌合して，この収納部３の凹部に収納されるように構成になっており，同軸ケーブル１１を巻き回した状態においては，前記Ｆ型プラグ１０は収納部３に収容されている。また，前記Ｆ型プラグ１０を収納部３から外方向に引き出すことにより，同軸ケーブル１１を任意の長さに繰出し可能となる。
【００１７】
次に同軸ケーブル１１が巻き回された軸体３０をケース本体２に収納するのであるが，ケース本体２の底面には，該底面９に垂直方向に突設させた係止棒１５がケース本体２と一体形成されている。この係止棒１５は前記軸体３０の前記枢着手段の一方側を構成する係止棒である。
一方，前記軸体３０には，前記空間３０ｂに連設して軸孔３０ａが，軸体３０の一方側であってこの軸体３０の軸線上となる位置に形成されており，この軸孔３０ａを前記係止棒１５に遊挿させることによって，該軸体３０をケース本体２に対して回転自在に保持するように構成されている。 
【００１８】
前記接続コネクタ１６には，２０に示す接続ケーブルが取付けらる。この接続ケーブル２０は，該接続ケーブル２０の一方側に組み付けられ，前記接続コネクタ１６に接続可能なメール型の接続プラグ２１と，前記接続ケーブル２０の他方側に組み付けられたメール型の接続プラグ２２とからなる。
この接続プラグ２１のプラグ部は，前記接続コネクタ１６に対して回転方向に回転自在に，及び，軸線方向に抜差し自在に摺動固着できるように接続部の内周にバネ材等で形成された摺動部材が具備されており，前記接続コネクタ１６に摺動固着される。
次に前記接続ケーブル２０の他方側の接続プラグ２２は次に詳述する接続手段５と接続される。尚本発明の接続ケーブル２０の両端に組み付けられた接続プラグ２１及び２２とは同じ形状に形成されており，方向性をもたせないように構成されている。
【００１９】
接続手段５は，Ｆ型メールコネクタ部とコネクタ部と操作部とからなる。前記Ｆ型メールコネクタ部は，５５に示すコネクタ本体の他方側の先端部に枢着され，内側に接続対象のＦ型フィーメールコネクタの外周螺子に螺合するネジが形成された回転部材５１と，前記ネジの中心位置になるように前記コネクタ本体に具備された内部絶縁体５４に保持された中心導体５２とから構成されている。
前記操作部は，前記回転部材５１に嵌着されて該回転部材２１を回転操作するためのものであり，ケース本体２の後面の外形より外側方向に一部が突出する大きな操作ツマミ５３とすることで，接続対象のＦ型フィーメールコネクタの外周螺子への螺合を容易とするためのものである。
尚，操作ツマミ５３の前記テレビ端子と対抗する側面には，前記回転部材５１を中心位置とする大きさであって，弾性を有する合成樹脂材でできたリング状の緩衝部材を取付ければ，このテレビ接続ケーブルをテレビ端子に接続したときに，前記緩衝部材がテレビ端子に当接するように構成することによって，テレビ接続ケーブルの接続時に，テレビ端子に傷をつけることもなく，また，緩み防止ともなる。
【００２０】
前記コネクタ部は，前記コネクタ本体５５の一方側に形成されており，このコネクタ部の外周には，該コネクタ部の先端から所定範囲に亘って螺子が形成されている。このコネクタ部はケース本体２の後面外側からケース本体２内部に挿通され，該ケース本体２の内部側に位置する前記外周螺子に対してナット５６を螺合することによって，前記コネクタ本体５５はケース本体２の後面に固着されている。このコネクタ本体５５のコネクタ部は，前記接続ケーブル２０の接続プラグ２２に対応した大きさ（つまり前記接続コネクタ１６と同じ大きさ。）をしており，このコネクタ部に前記接続ケーブル２０の他方側の接続プラグ２２が接続されるのである。
尚，本発明の実施例では既に記載した通り，接続ケーブル２０方向性を無くすために，前記接続プラグ２２と前記接続プラグ２１は同一形状に形成されているので，前記接続プラグ２２は前記コネクタ部に対して摺動固着される。
【００２１】
このように接続ケーブル２０の接続が終了したのなら，前記ケース本体２の開口部にはケース蓋体４が合着されるのであるが，このとき前記接続プラグ２１の接続部を覆う合成樹脂材でできたプラグキャップに形成された凸部２１ａと，該凸部２１ａに対抗する位置であって，前記ケース蓋体４の内側方向に立設させた側壁によって形成された凹部４ａとが嵌合するように構成されている。
前記凸部２１ａと凹部４ａとの嵌合の状態は，前記軸体３０が回転することによって，この軸体３０に固着された前記接続コネクタ１６が回転したとしても，前記接続プラグ２１が該接続プラグ２１の軸線を中心軸として回転することがないように，例えば凸部２１ａと凹部４ａとを多角形に形成するなど回転防止の構造となっていると共に，前記接続プラグ２１が外方向に抜けない構成となっており，前記接続コネクタ１６と接続プラグ２１とでもって前記枢着手段の他方側を形成している。
こうして，係止棒１５，軸体３０，接続コネクタ１６，接続ケーブル２０の接続プラグ２１及び凹部４ａの軸線は夫々同一軸線上になるように配設されることになり，前記軸体３０が回転自在となると共に，該軸体３０の回転動作によって前記接続コネクタ１６が回転したとしても接続プラグ２１は電気的にも機械的にも接続状態を維持され，Ｆ型プラグ１０と接続手段５との間を，同軸ケーブル１１を介して電気信号を伝送できるのであるのである。
【００２２】
更に同軸ケーブル１１の繰出し・巻戻しについて図４を基に説明する。図に示すように，収納側壁３１の外側には周縁を側板３１ａに囲まれた凹部３１ｂが形成されており，該凹部３１ｂには付勢手段としてのバネ９が収納されている。このバネ９の中心側端部９ｂは，軸体３０に形成した軸孔３０ａの内方向であって，該軸孔３０ａの軸線方向に突出するように配置させてある。この端部９ｂは，ケース蓋体２に形成した係止棒１５を前記軸孔３０ａに遊挿する時に，前記係止棒１５に形成された切欠部１５ａに収まるように配設する。
また，バネ９の外側端部９ａは，収納側壁の周縁に設けられた側板ａに係合保持されている。これによって軸体３０に巻き回された同軸ケーブル１１を外方向に引き出すことによって軸体３０が回転させられると共に，前記付勢手段９が変形させられる。次に同軸ケーブル１１を引き出す力が加わらなくなると，前記付勢手段のバネ９が基の形状に戻ることによって，軸体３０が回転することとなり前記同軸ケーブル１１は巻戻されるのである。
尚，本発明の実施例では同軸ケーブル１１の巻戻しを行なうために付勢手段９を用いているが，図６に示すように軸体３０の収容隔壁３２側に，ケース本体２の外側方向から操作部３３を備えさせて，指先等によって巻戻しできるように構成しても良い。
【００２３】
次に前記付勢手段９による同軸ケーブルの繰出しと巻戻しの操作手段について詳細に説明する。図５（ａ），（ｂ），（ｃ）には，軸体３０の操作手段７０の実施例を示してある。
この実施例において前記操作手段７０は，操作棒７１と操作ツマミ７２と付勢手段としてのバネ７３とから構成される。
前記操作棒７１は係止部７１ａと，略中央部に形成された鍔部７１ｂを挟んで挿通部７１ｃとからなる。
先ずバネ７３に挿通部７１ｃを挿通する。次にバネ７３を備えた操作棒７１をケース本体２に一体に立設させた支持脚２ａ，２ｂに形成した凹部に載置する。このとき付勢手段７３は鍔部７１ｂの挿通部側側壁と，前記支持脚２ｂの側壁との間に配設することで，前記操作棒７１は図における左方向に付勢されるように構成されている。
前記ケース本体２の上面であって，鍔部７１ｂの上側方向に対向する位置には４角形状の長孔２ｃが形成されており，前記鍔部７１ｂにはケース本体２の上面側から該長孔２ｃを挿通させて操作ツマミ７２が装着されている。この操作ツマミ７２は操作棒７１の左右方向の移動に対して長孔２ｃの範囲内で移動可能となると共に，該ツマミ７２をケース本体の外側から操作することによって，前記操作棒７１を左右方向に移動可能に構成されている。
【００２４】
前記操作棒７１の係止部７１ａの先端部には，前記操作棒７１の軸線方向に対して下向きに爪部７が形成されており，該爪部７が付勢手段７３による付勢力によって前記収納側壁の側板３１ａの外周面と当接するように構成されている。
一方，前記収納側壁３１の側板３１ａの外周面には凸凹手段が形成されており，該凸凹手段と前記爪部７とは嵌合するように形成されている。
前記操作棒７１の爪部７と側板３１ａの凸凹手段との関係を説明する。尚，説明を容易にするために凸凹手段の一つに着目して説明する。図２に示す状態に同軸ケーブル１１が巻き回されているとすると，該同軸ケーブル１１を左側の外側方向に引き出すときは，軸体３０が右回転する。これに伴い８に示す凸凹手段の当接部８ａが前記爪部７の導入部７ａを押圧する。当接部８ａと導入部７ａとは，当接部８ａが操作棒７１を右方向に押圧すると共に軸体３０の回転を容易とするように緩い傾斜を持たせてあり，これによって前記操作棒７１は右側方向に押し込まれる。更に凸凹手段８が回転することによって，爪部７の先端部７ａが凸凹手段８の先端部８ａを越える。これによって前記操作棒７１を右方向に押圧する力が解除されることになり，前記操作棒７１は付勢手段７３によって左側方向に付勢され次の凸凹手段に当接する。同軸ケーブルの引出し状態ではこの動作が連続して行なわれている。
【００２５】
次に同軸ケーブル１１の繰出し操作を停止した時（引出し方向の力を加えなくなった時。）の状態を説明する。この場合，軸体３０は付勢手段９によって左側方向に回転しようとする。この動作によって凸凹手段８の当付部８ｃが爪部７の係止部７ｃと当接することになる。前記当付部８ｃは側板３１ａから，係止部７ｃは操作部７１ａから略垂直になるように形成されていると共に，前記操作棒７１の左方向の動きも前記支持脚２ａによって制限されていることから，前記軸体３０は巻戻されるのが制限され引き出された状態を保つのである。
【００２６】
次に，同軸ケーブル１１を軸体３０に巻き戻す場合は，図６（ｂ）に示す状態から更に前記操作ツマミ７２を右側方向に移動させることによって，前記爪部７の先端部７ａと凸凹手段８の先端部８ａとが，当接しない状態にすることができ，軸体３０は付勢手段９が元の状態に戻るまで巻戻されることとなり，前記同軸ケーブル１１は軸体３０に巻戻されるのである。
【００２７】
このように構成されたテレビ接続ケーブルを用いたテレビ共同受信システムについて説明する。
図１に示す宅内の壁面等に取付けられたテレビ端子の近傍にはテレビ受像機等が配置されるのであるが，近年の薄型テレビのようにデザイン的にも優れたテレビを設置することが多くなり，テレビ端子１とテレビ受像機の間の後面側における配線もスッキリとした配線をすることが望まれる。そこでこの配線を行なうためには，一般的に市販されている加工済みの同軸ケーブルを用いて行なえば，簡単に配線することができる。ところがテレビの設置場所に応じた最適な寸法の同軸ケーブルがあれば良いのであるが，通常１ｍ・２ｍ・３ｍ・５ｍというように数種類の寸法の物が売られているのが現状であり，結局長めの同軸ケーブルを用いて配線を行い，余分な同軸ケーブルはテレビの背面にそのままぶら下げておくか束ねることで使用していた。
【００２８】
また，近年では例えばリビングで見ていた薄型テレビを，必要に応じて寝室や子供部屋に移動させて見るといった例があったり，パーソナルコンピュータで個々にテレビを見るといった事が一般的となったりで，テレビを見る形態の多様化が進んだ。この場合は，もともとテレビ等を設置していたテレビ端子に接続された同軸ケーブルは，接続したままにしておくかその都度取外したり，取付けたりする必要があり美観も良くないし，接続の手間がかかるといった問題があった。
そこで本発明の実施形態に示す例のよう，ケース内に同軸ケーブルを収納して，該同軸ケーブルを繰出し，巻戻し自在にすることによって，テレビ等の配置に対応して同軸ケーブルを別途用意する必要が無く，テレビ端子とテレビとの間の距離に合わせて最適な長さに簡単に配線できるといった取扱性の容易さやすっきりと配線できるといった美観に対して有効なテレビ接続ケーブルが提供でき，既存のテレビ共同受信システムに対して有効性の高い物となる。
また，未使用な状態では簡単な操作で同軸ケーブルをケース内に巻戻すことができ手間が省け且つ美観を損ねることがないばかりでなく，同軸ケーブルを巻戻した状態において外形寸法を小さくすることができるので，出荷時や保管時における省スペース化や，梱包材の小型化による製品コストの低減ができる，といった優れたテレビ接続ケーブルが提供できるのである。
尚，本発明は上記実施の形態に限定されるものではなく，本発明の趣旨を逸脱しない範囲で各部の構成を適宜に変更して実施することも可能である。
【図面の簡単な説明】
【００２９】
【図１】本発明に係るテレビ接続ケーブルの実施形態を示す斜視図である。
【図２】図１におけるＡ−Ａ線一部断面図である。
【図３】本発明に係るテレビ接続ケーブルの分解した状態を示す断面図である。
【図４】付勢手段の構成を示す要部拡大の斜視図である。
【図５】軸体の回転ストッパーの構成を示す要部拡大図である。
【図６】他の実施例である。
【符号の説明】
【００３０】
１…テレビ接続ケーブル，２…ケース本体，２ａ・２ｂ…支持脚，２ｃ…長孔，３…収納部，３ａ…貫通孔，４…ケース蓋体，４ａ…凹部，５…接続手段，６…収納空間，７…爪部，７ａ…導入部，７ｂ…先端部，７ｃ…係止部，８…凸凹手段，８ａ…当接部，８ｂ…先端部，８ｃ…当付部，９…バネ（付勢手段），９ａ・９ｂ…バネ端部，１０…Ｆ型プラグ，１１…同軸ケーブル，１１ａ…同軸ケーブルの自由端，１５…係止棒，１５ａ…切欠部，１６…接続コネクタ，２０…接続ケーブル，２１…接続プラグ，２１ａ…凸部，２２…接続プラグ，２３…，３０…軸体，３０ａ…軸孔，３０ｂ…空間，３０ｃ…ネジ孔，３１…収納側壁，３１ａ…側板，３１ｂ…収納側壁の凹部，３２…側壁，３３…軸体の操作ツマミ，４０…テレビ端子，４１…アウトレット端子，５１…回転部材，５２…中心導体，５３…操作ツマミ，５４…内部絶縁体，５５…コネクタ本体，５６…ナット，７０…操作手段，７１…操作棒，７１ａ…先端部，７１ｂ…鍔部，７１ｃ…挿入部，７２…操作棒の操作ツマミ，７３…付勢手段（バネ）
【図１】
2006074871.tif 000003
【図２】
2006074871.tif 000004
【図３】
2006074871.tif 000005
【図４】
2006074871.tif 000006
【図５】
2006074871.tif 000007
【図６】
2006074871.tif 000008